(57)【特許請求の範囲】
【請求項１】
スプールが取り付けられているリール本体部と、
前記スプールの軸心に設けられている中空部に回転可能に挿通されている主軸と、
前記主軸に連結されて、前記リール本体部に回転可能に支持されているローターと、
前記スプールの周囲を回るように前記ローターに設けられているベイルアームと、
前記主軸の一端側に設けられているネジ歯車と、
前記ネジ歯車と歯合する冠歯車と、
前記主軸と交差する向きで前記リール本体部に回転可能に挿通されており、一端部が前記リール本体部から外部に露出している駆動軸と、
前記駆動軸の一端部に着脱可能とされ、前記リール本体部の外部に配置されるモーター動力部と、
前記駆動軸と軸心が一致するハンドル軸を介して前記リール本体部に回転可能に軸支されているハンドルと、
前記ハンドルが回転された駆動力を前記冠歯車に伝達する第１の回転伝達機構と、
前記駆動軸を介して入力された前記モーター動力部の駆動力を前記冠歯車に伝達する第２の回転伝達機構と、
を備えた魚釣り用リールであって、
前記第１の回転伝達機構と前記第２の回転伝達機構はそれぞれ遊星歯車機構であり、その遊星歯車機構の内歯車の側面に前記冠歯車が設けられていることを特徴とする魚釣り用リール。
【請求項２】
前記内歯車は、前記第１の回転伝達機構と前記第２の回転伝達機構に共有されている部材であることを特徴とする請求項１に記載の魚釣り用リール。
【発明の詳細な説明】
【技術分野】
【０００１】
本発明は、手動式リールとしても電動式リールとしても使用可能な魚釣り用リールに関する。
【背景技術】
【０００２】
従来、魚釣り用リールとして、糸の巻き取りが手動式のリールと電動式のリールがそれぞれ市販されており、ユーザーは狙う魚の釣り方（仕掛け）や、狙う魚のいる深度などに応じて、それらを適宜使い分けている。
【０００３】
例えば、手動式リールは、リール本体に回転可能に備えられているスプール（糸巻き）と、リール本体に回転可能に装着されているハンドルと、そのハンドルを回転させた駆動力をスプールに伝達するハンドル回転伝達機構などを備えている。
また、電動式リールは上記手動式リールの構成に加え、リール本体に配設されているモーターと、そのモーターの駆動力をスプールに伝達するモーター回転伝達機構などを備えている（例えば、特許文献１参照。）。
【０００４】
また、手動式リールにモーターを接続して、電動式リールとしても使用可能にする技術（例えば、特許文献２参照。）や、手動式リールに電動ドライバーを取り付けて、電動式リールとしても使用可能にする技術（例えば、特許文献３参照。）が知られている。
【先行技術文献】
【特許文献】
【０００５】
【特許文献１】特開２０１６−８６６５７号公報
【特許文献２】特開平３−１８７３３０号公報
【特許文献３】特開２０１２−７９号公報
【発明の概要】
【発明が解決しようとする課題】
【０００６】
ところで、特許文献１のようにモーターが内蔵されている電動式リールは重く、サイズが大型化してしまいがちであった。
【０００７】
また、特許文献２の魚釣り用リールの場合、モーターを接続するためにハンドルを取り外さなければならず、手動式と電動式の切り替えが煩雑であった。
また、特許文献３の魚釣り用リールの場合、リールに対して垂直に取り付けられた電動ドライバーを操作しつつ、そのリールが装着されている釣り竿を使いこなすことは困難であり、実用的ではなかった。
【０００８】
そこで、本発明者らは鋭意検討し、リール自体のサイズが大型化することなく、手動式でも電動式でも釣り糸の巻き取りが可能な魚釣り用リールを開発するに至った。
【０００９】
本発明の目的は、手動式リールとしても電動式リールとしても好適に使用できる魚釣り用リールを提供することである。
【課題を解決するための手段】
【００１０】
以上の課題を解決するため、請求項１に記載の発明は、
スプールが取り付けられているリール本体部と、
前記スプールの軸心に設けられている中空部に回転可能に挿通されている主軸と、
前記主軸に連結されて、前記リール本体部に回転可能に支持されているローターと、
前記スプールの周囲を回るように前記ローターに設けられているベイルアームと、
前記主軸の一端側に設けられているネジ歯車と、
前記ネジ歯車と歯合する冠歯車と、
前記主軸と交差する向きで前記リール本体部に回転可能に挿通されており、一端部が前記リール本体部から外部に露出している駆動軸と、
前記駆動軸の一端部に着脱可能とされ、前記リール本体部の外部に配置されるモーター動力部と、
前記駆動軸と軸心が一致するハンドル軸を介して前記リール本体部に回転可能に軸支されているハンドルと、
前記ハンドルが回転された駆動力を前記冠歯車に伝達する第１の回転伝達機構と、
前記駆動軸を介して入力された前記モーター動力部の駆動力を前記冠歯車に伝達する第２の回転伝達機構と、
を備えた魚釣り用リールであって、
前記第１の回転伝達機構と前記第２の回転伝達機構はそれぞれ遊星歯車機構であり、その遊星歯車機構の内歯車の側面に前記冠歯車が設けられていることを特徴とする。
【００１２】
請求項２に記載の発明は、請求項１に記載の魚釣り用リールにおいて、
前記内歯車は、前記第１の回転伝達機構と前記第２の回転伝達機構に共有されている部材であることを特徴とする。
【発明の効果】
【００１３】
本発明によれば、手動式リールとしても電動式リールとしても好適に使用できる魚釣り用リールが得られる。
【図面の簡単な説明】
【００１４】
【図１】本実施形態の魚釣り用リールを示す断面図であり、手動式リールの態様（ａ）と、電動式リールの態様（ｂ）を示している。
【図２】魚釣り用リールの変形例を示す断面図であり、手動式リールの態様（ａ）と、電動式リールの態様（ｂ）を示している。
【図３】魚釣り用リールの変形例を示す断面図であり、手動式リールの態様（ａ）と、電動式リールの態様（ｂ）を示している。
【発明を実施するための形態】
【００１５】
以下、図面を参照して、本発明に係る魚釣り用リールの実施形態について詳細に説明する。但し、以下に述べる実施形態には、本発明を実施するために技術的に好ましい種々の限定が付されているが、本発明の範囲を以下の実施形態及び図示例に限定するものではない。
【００１６】
（実施形態１）
本実施形態の魚釣り用リール１００は、例えば、図１（ａ）（ｂ）に示すように、スプール１０が取り付けられているリール本体部２０と、スプール１０の軸心に設けられている中空部１０ａに回転可能に挿通されている主軸３０と、主軸３０に連結されてリール本体部２０に回転可能に支持されているローター４０と、スプール１０の周囲を回るようにローター４０に設けられているベイルアーム４１と、主軸３０の一端側に設けられているネジ歯車５０と、ネジ歯車５０と歯合する冠歯車６０と、主軸３０と交差する向きでリール本体部２０に回転可能に挿通されており、一端部７１がリール本体部２０から外部に露出している駆動軸７０と、駆動軸７０の一端部７１に着脱可能とされ、リール本体部２０の外部に配置されるモーター動力部８０と、駆動軸７０と軸心が一致するハンドル軸９１を介してリール本体部２０に回転可能に軸支されているハンドル９０と、ハンドル９０が回転された駆動力を冠歯車６０に伝達する第１の回転伝達機構１と、駆動軸７０を介して入力されたモーター動力部８０の駆動力を冠歯車６０に伝達する第２の回転伝達機構２等を備えている。
この魚釣り用リール１００は、所謂スピニングリールである。
【００１７】
スプール１０には、釣り糸（ライン）が結ばれており、スプール１０の周囲を回るベイルアーム４１によって、その釣り糸（図示省略）がスプール１０に巻回されるようになっている。
【００１８】
リール本体部２０は、例えばベアリングを介して、主軸３０を回転可能に軸支している。
また、リール本体部２０は、主軸３０と直交する向きの駆動軸７０を回転可能に軸支しているとともに、その駆動軸７０と軸心が一致するハンドル軸９１を回転可能に軸支している。つまり、リール本体部２０には駆動軸７０とハンドル軸９１が一直線上に連なるように配されている。
【００１９】
主軸３０にはローター４０が連結されており、主軸３０を中心に回転するローター４０と一体のベイルアーム４１がスプール１０の周囲を回るようになっている。
また、主軸３０の他端部にはドラグノブ３０ａが取り付けられている。
【００２０】
主軸３０の一端部にはネジ歯車５０（ウォーム）が設けられており、そのネジ歯車５０にはハンドル９０やモーター動力部８０によって回転される冠歯車６０（フェースギア）が歯合している。
この冠歯車６０の回転がネジ歯車５０に伝わって、主軸３０が回転するようになっている。
【００２１】
ハンドル９０は、リール本体部２０に装着されている。
具体的には、ハンドル９０は、リール本体部２０に軸支されているハンドル軸９１の一端部に取り付けられており、ハンドル軸９１の他端部に第１の回転伝達機構１が配設されている。
このハンドル９０を回した回転力は、ハンドル軸９１を介して第１の回転伝達機構１に伝わる。
そして、ハンドル軸９１の他端部に配設されている第１の回転伝達機構１は、ネジ歯車５０に歯合している冠歯車６０にハンドル９０が回転された駆動力を伝達するように構成されている。
【００２２】
モーター動力部８０は、例えば、モーター８１と、そのモーター８１に繋がれているフレキシブルシャフト８２とコントローラー８３、図示しない電源等を備えている。
フレキシブルシャフト８２は、モーター８１の回転動力を離れた位置に伝達する周知の長尺な部材であり、可撓性を有している。このフレキシブルシャフト８２の端部８２ａが、駆動軸７０の一端部７１に接続可能に構成されている。
その駆動軸７０の他端部に第２の回転伝達機構２が配設されている。
コントローラー８３は、モーター８１のオン／オフの切り替えなどを行う操作スイッチを備えている。
このモーター動力部８０のモーター８１の回転動力は、フレキシブルシャフト８２と駆動軸７０を介して第２の回転伝達機構２に伝わる。
そして、駆動軸７０の他端部に配設されている第２の回転伝達機構２は、ネジ歯車５０に歯合している冠歯車６０にモーター８１の回転動力を伝達するように構成されている。
【００２３】
なお、フレキシブルシャフト８２の長さやコントローラー８３のケーブルの長さは任意であり、ユーザーがモーター８１やコントローラー８３を設置する箇所に応じた長さのものを用いればよい。
また、ここではケーブルを介してモーター８１に繋がれた有線タイプのコントローラー８３を図示したが、もちろん無線通信タイプのコントローラー８３でもよい。
【００２４】
第１の回転伝達機構１は、遊星歯車機構であり、ハンドル軸９１の他端部に固定されている太陽歯車１１と、複数の遊星歯車１２と、遊星キャリア１３等を備えて構成されている。
この第１の回転伝達機構１（遊星歯車１２）は内歯車３に歯合されている。この内歯車３は、第１の回転伝達機構１（遊星歯車機構）の要素の１つである。なお、内歯車３は、第２の回転伝達機構２と共有している。
ここでの第１の回転伝達機構１は、スター型の遊星歯車機構である。
また、太陽歯車１１とハンドル軸９１の間には、一方向ベアリングなどのワンウェイクラッチ（図示省略）が配設されている。このワンウェイクラッチによってハンドル９０による一方向の回転力を内歯車３に伝達できるとともに、逆方向の回転力を遮断することができる。
【００２５】
第２の回転伝達機構２は、遊星歯車機構であり、駆動軸７０の他端部に固定されている太陽歯車２１と、複数の遊星歯車２２と、遊星キャリア２３等を備えて構成されている。
この第２の回転伝達機構２（遊星歯車２２）は内歯車３に歯合されている。この内歯車３は、第２の回転伝達機構２（遊星歯車機構）の要素の１つである。なお、内歯車３は、第１の回転伝達機構１と共有している。
ここでの第２の回転伝達機構２は、スター型の遊星歯車機構である。
また、太陽歯車２１と駆動軸７０の間には、一方向ベアリングなどのワンウェイクラッチ（図示省略）が配設されている。このワンウェイクラッチによってモーター動力部８０による一方向の回転力を内歯車３に伝達できるとともに、逆方向の回転力を遮断することができる。
【００２６】
内歯車３は、前述したように、第１の回転伝達機構１と第２の回転伝達機構２に共有される部材であり、遊星歯車機構の要素の１つである。
この内歯車３の側面に冠歯車６０が設けられており、その冠歯車６０がネジ歯車５０に歯合している。
なお、内歯車３は、図示しない支持体によって、リール本体部２０内に回転可能に支持されている。
【００２７】
このような構成の魚釣り用リール１００を手動式リールとして使用する場合は、図１（ａ）に示すように、モーター動力部８０を駆動軸７０から取り外す。
そして、魚釣り用リール１００のハンドル９０を所定の方向に回転させると、その回転力がハンドル軸９１、第１の回転伝達機構１（内歯車３）、冠歯車６０へと順に伝わって、冠歯車６０の回転がネジ歯車５０に伝わるので、そのネジ歯車５０が設けられている主軸３０を回転させて、ローター４０（ベイルアーム４１）を回転させることができる。
このようにして魚釣り用リール１００のハンドル９０を回転させた駆動力が主軸３０に伝達され、ローター４０（ベイルアーム４１）を回転させることができるので、スプール１０に釣り糸を巻き取ることができる。
【００２８】
また、この魚釣り用リール１００を電動式リールとして使用する場合は、図１（ｂ）に示すように、モーター動力部８０を駆動軸７０に接続する。
そして、コントローラー８３を操作してモーター動力部８０のモーター８１を作動させると、そのモーター８１の回転力がフレキシブルシャフト８２、駆動軸７０、第２の回転伝達機構２（内歯車３）、冠歯車６０へと順に伝わって、冠歯車６０の回転がネジ歯車５０に伝わるので、そのネジ歯車５０が設けられている主軸３０を回転させて、ローター４０（ベイルアーム４１）を回転させることができる。
このようにして魚釣り用リール１００のモーター動力部８０（モーター８１）を作動させた駆動力が主軸３０に伝達され、ローター４０（ベイルアーム４１）を回転させることができるので、スプール１０に釣り糸を巻き取ることができる。
なお、魚釣り用リール１００を電動式リールとして使用する際、モーター８１を設置する箇所は任意であり、そのモーター８１はユーザーのウエストバック内に収容しておいても、ユーザーの足元に置いておいてもよい。
また、コントローラー８３の設置箇所も任意であり、ユーザーが操作し易い箇所であれば、リール本体部２０の外面に取り付けておいても、ユーザーの足元に置いておいてもよい。
【００２９】
このように、本実施形態の魚釣り用リール１００は、手動式リールとしても電動式リールとしても好適に使用できる。
【００３０】
特に、モーター８１（モーター動力部８０）をリール本体部２０の外側に配置させるようにしたことで、魚釣り用リール１００のリール自体を軽量化することができ、リールの操作性を向上させることができる。
また、従来の電動式リールのように、リール本体にモーターが内蔵されている場合、モーターの発熱が内部にこもって焼き付きを起こしてしまうことがあったが、本実施形態の魚釣り用リール１００のような外付けのモーター８１（モーター動力部８０）であれば放熱し易いので、焼き付きのような不具合の発生を低減することができる。
また、従来の電動式リールのように、リール本体にモーターが内蔵されている場合、モーターの大きさはリール本体のサイズに応じて制限されてしてしまうことがあるが、本実施形態の魚釣り用リール１００のような外付けのモーター８１であれば、リール本体部２０の大きさによって制限されないので、任意のモーター８１を使用し易くなる。例えば、任意の大きさのモーター８１や任意の性能のモーター８１を使用することができる。
【００３１】
なお、本発明は上記実施形態に限られるものではない。
例えば、図２（ａ）（ｂ）に示すように、第１の回転伝達機構１が、ソーラー型の遊星歯車機構であってもよい。
ソーラー型の遊星歯車機構である第１の回転伝達機構１は、ハンドル軸９１の他端部に固定されている遊星キャリア１３と、遊星キャリア１３に支持されている複数の遊星歯車１２と、太陽歯車１１等を備えて構成されている。この太陽歯車１１は、第２の回転伝達機構１０の遊星キャリア２３から延在する軸に取り付けられている。
このように、この魚釣り用リール１００では、第１の回転伝達機構１と第２の回転伝達機構２が連結されている。
このような構成を有する魚釣り用リール１００も、手動式リールとしても電動式リールとしても好適に使用できる。
【００３２】
（実施形態２）
次に、本発明に係る魚釣り用リールの実施形態２について説明する。なお、実施形態１と同一部分には同符号を付し、異なる部分についてのみ説明する。
【００３３】
実施形態２の魚釣り用リール１００は、例えば、図３（ａ）（ｂ）に示すように、スプール１０が取り付けられているリール本体部２０と、スプール１０の軸心に設けられている中空部１０ａに回転可能に挿通されている主軸３０と、主軸３０に連結されてリール本体部２０に回転可能に支持されているローター４０と、スプール１０の周囲を回るようにローター４０に設けられているベイルアーム４１と、主軸３０の一端側に設けられているネジ歯車５０と、ネジ歯車５０と歯合する第１冠歯車６１および第２冠歯車６２と、主軸３０と交差する向きでリール本体部２０に回転可能に挿通されており、一端部７１がリール本体部２０から外部に露出している駆動軸７０と、駆動軸７０の一端部７１に着脱可能とされ、リール本体部２０の外部に配置されるモーター動力部８０と、主軸３０と交差する向きでリール本体部２０に回転可能に挿通されているハンドル軸９１を介してリール本体部２０に回転可能に軸支されているハンドル９０と、ハンドル９０が回転された駆動力を第１冠歯車６１に伝達する第１の回転伝達機構１と、駆動軸７０を介して入力されたモーター動力部８０の駆動力を第２冠歯車６２に伝達する第２の回転伝達機構２等を備えている。
なお、ここでの駆動軸７０とハンドル軸９１は主軸３０と直交している。また、駆動軸７０とハンドル軸９１の軸心は一致していることが好ましい。
【００３４】
第１の回転伝達機構１は、遊星歯車機構であり、ハンドル軸９１の他端部に固定されている太陽歯車１１と、複数の遊星歯車１２と、遊星キャリア１３等を備えて構成されている。
この第１の回転伝達機構１（遊星歯車１２）は内歯車３１に歯合されている。この内歯車３１は、第１の回転伝達機構１（遊星歯車機構）の要素の１つである。なお、内歯車３１は、図示しない支持体によって、リール本体部２０内に回転可能に支持されている。
その内歯車３１の側面に第１冠歯車６１が設けられており、その冠歯車６１がネジ歯車５０に歯合している。
ここでの第１の回転伝達機構１は、スター型の遊星歯車機構である。
また、太陽歯車１１とハンドル軸９１の間には、一方向ベアリングなどのワンウェイクラッチ（図示省略）が配設されている。このワンウェイクラッチによってハンドル９０による一方向の回転力を内歯車３１に伝達できるとともに、逆方向の回転力を遮断することができる。
【００３５】
第２の回転伝達機構２は、遊星歯車機構であり、駆動軸７０の他端部に固定されている太陽歯車２１と、複数の遊星歯車２２と、遊星キャリア２３等を備えて構成されている。
この第２の回転伝達機構２（遊星歯車２２）は内歯車３２に歯合されている。この内歯車３２は、第２の回転伝達機構２（遊星歯車機構）の要素の１つである。なお、内歯車３２は、図示しない支持体によって、リール本体部２０内に回転可能に支持されている。
その内歯車３２の側面に第２冠歯車６２が設けられており、その冠歯車６２がネジ歯車５０に歯合している。
ここでの第２の回転伝達機構２は、スター型の遊星歯車機構である。
また、太陽歯車２１と駆動軸７０の間には、一方向ベアリングなどのワンウェイクラッチ（図示省略）が配設されている。このワンウェイクラッチによってモーター動力部８０による一方向の回転力を内歯車３２に伝達できるとともに、逆方向の回転力を遮断することができる。
【００３６】
実施形態２の魚釣り用リール１００を手動式リールとして使用する場合は、図３（ａ）に示すように、モーター動力部８０を駆動軸７０から取り外す。
そして、魚釣り用リール１００のハンドル９０を所定の方向に回転させると、その回転力がハンドル軸９１、第１の回転伝達機構１（内歯車３１）、第１冠歯車６１へと順に伝わって、第１冠歯車６１の回転がネジ歯車５０に伝わるので、そのネジ歯車５０が設けられている主軸３０を回転させて、ローター４０（ベイルアーム４１）を回転させることができる。
このようにして魚釣り用リール１００のハンドル９０を回転させた駆動力が主軸３０に伝達され、ローター４０（ベイルアーム４１）を回転させることができるので、スプール１０に釣り糸を巻き取ることができる。
【００３７】
また、実施形態２の魚釣り用リール１００を電動式リールとして使用する場合は、図３（ｂ）に示すように、モーター動力部８０を駆動軸７０に接続する。
そして、コントローラー８３を操作してモーター動力部８０のモーター８１を作動させると、そのモーター８１の回転力がフレキシブルシャフト８２、駆動軸７０、第２の回転伝達機構２（内歯車３２）、第２冠歯車６２へと順に伝わって、第２冠歯車６２の回転がネジ歯車５０に伝わるので、そのネジ歯車５０が設けられている主軸３０を回転させて、ローター４０（ベイルアーム４１）を回転させることができる。
このようにして魚釣り用リール１００のモーター動力部８０（モーター８１）を作動させた駆動力が主軸３０に伝達され、ローター４０（ベイルアーム４１）を回転させることができるので、スプール１０に釣り糸を巻き取ることができる。
【００３８】
このように、実施形態２の魚釣り用リール１００は、手動式リールとしても電動式リールとしても好適に使用できる。
【００３９】
なお、以上の実施の形態においては、魚釣り用リール１００を手動式リールとして使用する場合と電動式リールとして使用する場合とについて説明したが、本発明はこれに限定されるものではない。例えば、モーター動力部８０を駆動軸７０に接続した状態で魚釣り用リール１００を手動式で使用する場合に、モーター８１（モーター動力部８０）の駆動力をユーザーがハンドル９０を回す際の補助力として活用する電動アシスト機能付きの魚釣り用リールとして使用するようにしてもよい。
【００４０】
また、実施形態１においては、第１の回転伝達機構１と第２の回転伝達機構２がスター型の遊星歯車機構である場合と、第１の回転伝達機構２がソーラー型の遊星歯車機構で第２の回転伝達機構２がスター型の遊星歯車機構である場合を例に説明したが、本発明はこれに限定されるものではなく、各回転伝達機構（１，２）は他の遊星歯車機構であってもよい。例えば、第１の回転伝達機構１と第２の回転伝達機構２が一体の遊星歯車機構（換言すれば、第１の回転伝達機構１と第２の回転伝達機構２が一つの遊星歯車機構）であってもよい。
【００４１】
また、第１の回転伝達機構１と第２の回転伝達機構２は遊星歯車機構であることに限らず、他の歯車機構であってもよい。
【００４２】
また、その他、具体的な細部構造等についても適宜に変更可能であることは勿論である。
【符号の説明】
【００４３】
１      第１の回転伝達機構
１１    太陽歯車
１２    遊星歯車
１３    遊星キャリア
２      第２の回転伝達機構
２１    太陽歯車
２２    遊星歯車
２３    遊星キャリア
３      内歯車
３１、３２  内歯車
１０    スプール
１０ａ  中空部
２０    リール本体部
３０    主軸
４０    ローター
４１    ベイルアーム
５０    ネジ歯車
６０    冠歯車
６１    第１冠歯車
６２    第２冠歯車
７０    駆動軸
７１    一端部
８０    モーター動力部
８１    モーター
８２    フレキシブルシャフト
８３    コントローラー
９０    ハンドル
９１    ハンドル軸
１００  魚釣り用リール
【要約】
【課題】手動式リールとしても電動式リールとしても好適に使用できる魚釣り用リールを実現する。
【解決手段】スプール１０の軸心に回転可能に挿通されている主軸３０と、主軸３０に連結されてリール本体部２０に回転可能に支持されているローター４０と、ローター４０と一体に設けられているベイルアーム４１と、主軸３０の一端側に設けられているネジ歯車５０と、ネジ歯車５０と歯合する冠歯車６０と、リール本体部２０に回転可能に軸支されて一端部７１が外部に露出している駆動軸７０と、駆動軸７０の一端部７１に着脱可能なモーター動力部８０と、ハンドル軸９１を介してリール本体部２０に回転可能に軸支されているハンドル９０と、ハンドル９０が回転された駆動力を冠歯車６０に伝達する第１の回転伝達機構１と、駆動軸７０を介して入力されたモーター動力部８０の駆動力を冠歯車６０に伝達する第２の回転伝達機構２と、を備える魚釣り用リール１００。
【選択図】図１【図１】
0006799871.tif 000002
【図２】
0006799871.tif 000003
【図３】
0006799871.tif 000004